(57)【要約】【課題】  バーコードの事前配布を行う必要がなく、より安全性が向上した出入管理システムを得る。【解決手段】  入退室を管理する建物１の出入口２周辺に設置された表示装置４を備える。表示装置４は、暗号キーを生成し、この暗号キーを用いて認証データを暗号化し、暗号キーと暗号化された認証データを所定の種類もしくは内容のバーコード３に変換し、そのバーコード３を表示する。さらに、通信などによりプログラムをダウンロード可能に構成され、通行者５が建物１に入室する際に、表示装置４との間で認証データを交信する携帯端末６を備える。携帯端末６は、表示装置４に表示されたバーコード３を読み取る読取装置を備え、バーコード３を解析するプログラムを有し、読取装置に読み出されたバーコード３を解析し、通行可能であれば許可表示を行い、通行不可であれば非許可表示を行うように構成する。【選択図】      図１
2005120579.tif 000002
【特許請求の範囲】
【請求項１】
入退室を管理する建物の出入口周辺に設置された表示装置を備え、
前記表示装置は、暗号キーを生成し、この暗号キーを用いて前記認証データを暗号化し、前記暗号キーと暗号化された前記認証データを所定の種類もしくは内容のバーコードに変換し、そのバーコードを表示することを特徴とする出入管理システム。
【請求項２】
前記出入管理システムは、通信などによりプログラムをダウンロード可能に構成され、通行者が建物に入室する際に、前記表示装置との間で認証データを交信する携帯端末を備え、
前記携帯端末は、前記表示装置に表示されたバーコードを読み取る読取装置を備え、前記バーコードを解析するプログラムを有し、前記読取装置に読み出されたバーコードを解析して文字データに変換し、前記暗号キーを用いて前記認証データを復号化し、その復号化された認証データを予め記憶している認証データと比較し、通行可能であれば許可表示を行い、通行不可であれば非許可表示を行うように構成されていることを特徴とする請求項１に記載の出入管理システム。
【請求項３】
前記出入管理システムは、通信などによりプログラムをダウンロード可能に構成され、通行者が建物に入室する際に前記表示装置との間で認証データを交信する携帯端末と、前記出入口周辺に設けられ前記携帯端末との間で認証データを交信する機械システムとを備え、
前記携帯端末は、前記表示装置に表示されたバーコードを読み取る読取装置を備え、前記バーコードを解析するプログラムを有し、前記読取装置に読み出されたバーコードを解析して文字データに変換し、その変換された文字データを前記機械システムに送信するとともに、
前記機械システムは、前記携帯端末により変換された文字データを前記携帯端末から受信し、前記暗号キーを用いて前記認証データを復号化し、その復号化された認証データを予め記憶している認証データと比較し、通行可能であれば許可表示を行い、通行不可であれば非許可表示を行うように構成されていることを特徴とする請求項１に記載の出入管理システム。
【発明の詳細な説明】
【技術分野】
【０００１】
この発明は、建物への通行を管理する出入管理システムに関し、特に、バーコードを利用した出入管理システムに関する。
【背景技術】
【０００２】
従来のバーコードを利用した出入管理システムとして、通行者が事前にバーコードを印刷した印刷物をバーコードリーダーにかざし、入退場の管理を行う出入管理システムが知られている（例えば、特許文献１参照）。
【０００３】
【特許文献１】特開平９−３０５８０７号公報
【発明の開示】
【発明が解決しようとする課題】
【０００４】
従来のバーコードを利用した出入管理システムでは、バーコードが印刷された印刷物などを事前に配布する必要があるため、バーコードのコピーが容易に行われ、解析、偽造、および改ざんがされ易いという問題点があった。
【０００５】
この発明は、以上のような問題点を解決するためになされたもので、バーコードの事前配布を行う必要がなく、より安全性が向上した出入管理システムを提供することを目的とする。
【課題を解決するための手段】
【０００６】
この発明の出入管理システムは、入退室を管理する建物の出入口周辺に設置された表示装置を備え、表示装置は、暗号キーを生成し、この暗号キーを用いて認証データを暗号化し、暗号キーと暗号化された認証データを所定の種類もしくは内容のバーコードに変換し、そのバーコードを表示することとしたものである。
【発明の効果】
【０００７】
この発明の出入管理システムは以上説明したように、入退室を管理する建物の出入口周辺に設置された表示装置を備え、表示装置は、暗号キーを生成し、この暗号キーを用いて認証データを暗号化し、暗号キーと暗号化された認証データを所定の種類もしくは内容のバーコードに変換し、そのバーコードを表示することとしたので、通行者は配布物としてバーコードを確認、解析することが不能となる。さらに、本発明によれば、定期的もしくはバーコードの不正があった時点などに、任意にバーコードの種類やバーコード内の認証データを更新することができる。従って、バーコードの複製、改ざん等の不正を防止することができる。
【発明を実施するための最良の形態】
【０００８】
以下に図面を参照してこの発明の実施の形態について説明する。尚、各図において、同一または相当する部分には同一の符号を付してその説明を簡略化ないし省略する。
【０００９】
実施の形態１．
図１は、この発明の実施の形態１における出入管理システムの概略構成を示す図である。
図１に示すように、入退室を管理する建物１の出入口２の周辺には、バーコード３を表示する表示装置４が設置されている。また、本実施の形態１の出入管理システムは、通行者５が建物１に入退室する際に、通行者５が所持し、表示装置４との間で認証データを交信する携帯端末６を利用するものである。携帯端末６は、表示装置４に表示されたバーコード３を読み取るための読取装置（図示せず）を備えている。ここで、バーコード３に変換される情報は、入退室の際に用いる認証データとその認証データを暗号化するための暗号キーである。この認証データは、具体的には、通行に関わるデータであり、例えばゲート番号が暗号化されたものである。また、携帯端末６は、表示装置４に表示されたバーコード３を解析するプログラムを有している。本実施の形態１の出入管理システムでは、表示装置４に表示されるバーコード３は、その種類や内容が定期的、もしくは通行の都度など任意に更新されるように構成されている。そして、上記のバーコード解析用プログラムは、表示装置４に表示されるバーコード３に応じたプログラムであり、バーコード３が更新される度に、その都度、更新されるように構成されている。尚、このプログラムは、通信などによりダウンロードして取得する。このように、本実施の形態１の出入管理システムは、バーコードを印刷物として配布を行わずに表示装置４に表示することとし、通行者５が保持する携帯端末６にて、表示装置４に表示されたバーコード３を読み取り、携帯端末６が備える解析用プログラムを用いてバーコード３を解析し、さらに、通行者の通行の可否を判断し、その判断結果を携帯端末６に表示するように構成されている。
【００１０】
次に、図２を用いて、表示装置４がバーコード３を表示させる際に行う動作を説明する。図２は、この発明の実施の形態１における出入管理システムの表示装置４の動作を示すフローチャートである。
【００１１】
図２に示すように、ステップ１０１では、表示装置４は、バーコード表示の変更時刻が到来したか、もしくは開始直後かを判定する。そして、その時刻が到来した場合、表示装置４は、ステップ１０２にて、乱数などから新規の暗号キーを自動生成する。ステップ１０３では、表示装置４は、予め表示装置４に設定されているゲート番号を、ステップ１０２で生成された暗号キーを用いて暗号化する。次いで、ステップ１０４では、表示装置４は、暗号キーとともにゲート番号を予め指定された種類のバーコード３に変換する。ここで用いられるバーコードは、例えば、２次元バーコードである。ステップ１０５では、表示装置４は、その変換されたバーコード３を表示装置４のディスプレイ上に表示する。
【００１２】
次に、本実施の形態１の出入管理システムの携帯端末６が行う動作を説明する。図３は、この発明の実施の形態１における出入管理システムの携帯端末６の動作を示すフローチャートである。
図３に示すように、ステップ２０１では、携帯端末６は、バーコード３を検知したかを判定する。バーコード３を検知した場合、ステップ２０２にて、携帯端末６は、バーコード化されていた暗号キーとゲート番号を、例えば番号などに文字データ化する。ステップ２０３では、携帯端末６は、文字データ内の暗号キーを用いてゲート番号を復号化する。ステップ２０４では、携帯端末６は、予め携帯端末６内に記憶している通行可能ゲートとステップ２０３で復号化されたゲート番号とを比較する。そして、携帯端末６は、通行可能であれば、ステップ２０５で許可表示を行い、通行不可であれば、ステップ２０６で非許可表示を行う。
【００１３】
以上説明した通り、本実施の形態１の出入管理システムは、バーコードを印刷物に印刷せず、表示装置４に表示する方式としている。このため、通行者は、配布物としてバーコードを確認、解析、改ざん等をすることが不可能となる。さらに、本方式によれば、定期的もしくはバーコードの不正があった時点などに、任意にバーコードの種類やバーコード内の認証データを更新することができる。従って、バーコードの複製、改ざん等の不正を防止することができる。
【００１４】
また、本実施の形態１の出入管理システムによれば、新しい技術のバーコードが開発された場合にも、機器を変更せずに表示装置４のプログラムと携帯端末６のプログラムの変更のみで、新技術のバーコードに対応することが可能である。
【００１５】
実施の形態２．
実施の形態１の出入管理システムは、以上説明したように構成されているが、本発明の出入管理システムは、以下のように構成してもよい。すなわち、出入口２側に通行者５の通行可否の判断機能を有する機械システムを設置し、携帯端末６からバーコード解析結果を通信手段により機械システムに出力し、機械システム側で通行可否の判断を行ってもよい。
【００１６】
実施の形態３．
また、本発明の出入管理システムは、入退場管理に用いる認証データのやりとりを、バーコードに加え、ＩＤカードやバイオメトリックス方式も複合させたものとして出入管理システムを構築してもよい。
【００１７】
尚、上述した実施の形態１では、本発明を出入管理システムに利用する場合について説明したが、本発明は、例えば、会員確認等各種サービスにも利用できることはいうまでもない。
【図面の簡単な説明】
【００１８】
【図１】この発明の実施の形態１における出入管理システムの概略構成を示す図である。
【図２】この発明の実施の形態１における出入管理システムの表示装置の動作を示すフローチャートである。
【図３】この発明の実施の形態１における出入管理システムの携帯端末の動作を示すフローチャートである。
【符号の説明】
【００１９】
１  建物、  ２  出入口、  ３  バーコード、  ４  表示装置、  ５  通行者、  ６  携帯端末。
【図１】
2005120579.tif 000003
【図２】
2005120579.tif 000004
【図３】
2005120579.tif 000005